(57)【特許請求の範囲】
【請求項１】
安全錠のための回転ロックシリンダ（１）のキー溝（２２）に導入される挿入可能なキー（２３）によってローター（３）を回転可能に開放するために共軸的に係合されるロータピン（１２）とハウジングピン（９）とを備え、前記ハウジングピン（９）をロータピン（１２）から持ち上げて不正解除が企てられた場合にハウジングピン（９）に従動せず、留まることによってハウジングピン（９）とロータピン（１２）との間の間隙の中に係合してハウジングピン（９）とロータピン（１２）とのかわりにローター（３）をロックする遮断部材（５）が設けられている、安全錠用回転ロックシリンダ（１）の中のばね付勢されたタンブラにおいて、
前記の遮断部材（５）が、前記ハウジングピン（９）内で移動可能に案内されかつロータピン（１２）と磁気的吸引力を利用して連結される部分（１１）を含むことを特徴とする、前記タンブラ。
【請求項２】
前記のハウジングピン内で移動可能に案内される部分（１１）が、前記ハウジングピン（９）の長手方向孔（１０）内で自由に移動可能に取付けられた鋼製ピンであることを特徴とする請求項１に記載のタンブラ。
【請求項３】
前記遮断部材（５）が、ロータピン（１２）に堅固に係留されておりかつ該ロータピン（１２）の後方側で前記ハウジングピン（９）内を移動可能に案内される前記部分（１１）に各面（３０、３１）が互いに当接するように磁気的に連結される永久磁石ピン（１６）を有していることを特徴とする請求項１に記載のタンブラ。
【請求項４】
前記ロータピン（１２）が、前記ハウジングピン（９）の上に間接的または直接的に支持され、かつ前記ロータピン（１２）をローターの半径方向内方に付勢するばね要素（１９）を有していることを特徴とする請求項１に記載のタンブラ。
【請求項５】
前記ばね要素（１９）が、タンブラの長手方向にスライド可能に設けられたスリーブ（１５）を前記ハウジングピン（９）に押圧している態様でこれに支持されていることを特徴とする請求項４に記載のタンブラ。
【請求項６】
前記スリーブ（１５）が、前記ロータピン（１２）の長手方向孔（１４）内に移動可能に取り付けられていることを特徴とする請求項５に記載のタンブラ。
【請求項７】
前記遮断部材（５）が、前記ロータピン（１２）に固定的に接続された永久磁石（１６）を有することを特徴とする請求項１に記載のタンブラ。
【発明の詳細な説明】
本発明は、回転ロックシリンダのキー溝に導入される挿入可能なキーによって、ローターの回転開放のために適切に配置されるロータピン及びハウジングピンを備え、そして安全錠の不正開錠が企てられた場合にハウジングピンに追随する遮断部材を備えた安全錠用の回転ロックシリンダのばね負荷タンブラに関する。
この種のタンブラは、本出願人によるスイス公開特許ＣＨ−Ａ−６６９６３３号から既に知られている。このタンブラはプラグピンの孔の中に遮断ピンと圧縮ばねを備えている。この圧縮ばねは予備圧縮により遮断ピンを押圧しており、該遮断ピンはプラグピン上に支持しているハウジングピンを押圧している。安全錠の開錠を企ててハウジングピンがプラグピンから持ち上げられるとき、遮断ピンは実質上遅延することなくハウジングピンに追随してローターを錠止めする。
主としてハブ（Ｈｕｂｂ）方法を使用する許可されていない錠止解除方法に利用し得るより有効な器具がますます増えている。それ故、かかる不法侵入器具等の更に他の器具の開発を考慮してさらに他のタンブラを開発することが緊急に要望されている。
本発明の主たる目的は、錠止解除の安全性がより厳しい安全性の要求を満足し得るようにした安全錠用の回転ロックシリンダのばね負荷タンブラを提供することにある。ここにおいて、錠止解除の安全性とは、錠止コードの知識なしに、補助器具を使用して、ロックシリンダのタンブラを非破壊的に適切に配置する難易度を意味するのに使用される。
一般的なタンブラにおいて、この目的は遮断部材が好ましくはハウジングピン内で移動可能に案内されかつロータピンに磁気的に接続される部分を有していることによって達成される。挿入可能なキーによってタンブラが適正配置にあるときは移動可能に案内される部分とロータピンとの間の磁気的接続は、ロータが回転されるとき、実質上追加の力なしに、引き離され得る。これに反して、許可されていない錠止解除を試みる場合には、移動可能に案内される部分は常にプラグピンに接続されたままである。それ故、移動可能に案内される部分は遅延なしにプラグピンに追随する。
本発明によれば、移動可能に案内される部分はハウジングピンの長手方向孔内に取付けられるピンである。このピンは好ましくは鋼製ボルトであり、該鋼製ボルトは自由に移動可能であるようにハウジングピン内に取付けられかつ錠止解除が企てられたときは阻止し剪断されねばならないピンである。
更に本発明によれば、ロータピンはハウジングピンに間接的にまたは直接的に支持されかつロータピンを半径方向に内方へ付勢するばね要素を有している。ハウジングピンを半径方向に外方に動かして開錠が企てられた場合に、遮断部材の半径方向に案内される部分は、常に磁気的に固定されていることによって、この移動可能に案内される部分がロータの剪断線を横切り、従って常にロックする位置に保持される。それ故、ハウジングピンとロータピンが適切に配置されているときのみ、ローターを開放することができる。
遮断部材がランタニド群からの金属を含む合金から作られる永久磁石を有するとき、特に強力な磁気的接続がなされ得る。それ故、非常に小さい磁気的部分であっても同様に高い吸着力を発揮させることができる。従ってこの永久磁石部分は、例えば０．５ｍｍの直径を有するピンとして製造することができる。
本発明の例として示す実施例を以下に図面を参照してより詳細に説明することにする。
第１図は本発明によるタンブラを備えたロックシリンダの基本位置における一部分を示した断面図である。
第２図は第１図に示した断面図と同様であるが、キー溝に導入される挿入可能なキーを示した断面図である。
第３図は錠の錠止を解除しようとする間のタンブラの状態を示した第１図と同様の断面図である。
一部分のみが示され、それ自体公知の回転ロックシリンダ１は、ハウジング２を備えている。このハウジング２は長手方向孔２７が設けてあって、該長手方向孔２７にローター３が支持してある。ローター３には、タンブラ４を適切に配置するためにキー２３を導入するためのキー溝２２が加工形成してある。この場合において、タンブラ４はキー２３の孔２９によってハウジングばね８の作用力に抗して半径方向の孔２４内を半径方向に外方へ動かされて適切に配置される。
第２図は適切に配置されたタンブラ４が示してある。この場合、ローター３はタンブラ４によって遮断されず、キー２３によって回転せしめることができ、ここでは図示されていないロックボルトを作動せしめることができる。一般にロックシリンダはかかるタンブラ４を複数備えている。
ハウジングピン９は、それ自体公知のスライド６の孔７内に支持される。鋼製ピン１１はハウジングピン９の長手方向孔１０内に移動可能に案内される。鋼製ピン１１はピン１６に磁気的に吸着され、該ピン１６はロータピン１２の盲孔１４に挿入されかつ孔２０内へ押し付けられている。かくして、ピン１６はロータピン１２に堅固に係留されている。ピン１６は永久磁石であり、好ましくは希土類金属（ランタニド）から作られる合金から製造される。
永久磁石からなるピン１６の自由端にはそれ自体に平坦面３０が設けてあり、該平坦面３０は鋼製ピン１１の同様な平坦面３１と当接している。タンブラ４が適切に配置されているとき、平坦面３０および３１はロックシリンダ１の剪断面２７の上にある。従って、ローター３が回転させられるとき、適切に配置されたタンブラ４によって、鋼製ピン１１およびピン１６は相対的に半径方向に移動することができる。
ハウジングピン９はその前端面３２がピン１２の面１３に当接してこのピン１２を、第１図に示すようにピン１２の肩部が孔２４の肩部２５に当接している位置に保持する。盲孔１４にはスリーブ１５が取付けられ、該スリーブ１５は連続する段付き孔１７を有し、この段付き孔１７はピン１６を受容している。盲孔１４はハウジングピン９に対してスリーブ１５を押し付ける圧縮ばね１９を受容する。圧縮ばね１９は、ばね８のばね力より実質上低いばね力を有している。圧縮ばね１９の重要性については以下でさらに説明する。
タンブラ４の作動モードを以下に図面を参照してより詳細に説明すると、キー２３によってタンブラ４が適切に配置された間中、鋼製ピン１１および１６は、第２図に示すようにローター３が回転させられるとき、相対的に横方向に移動され得るように配置される。かくして、タンブラ４は遮断部材のない通常のタンブラと同一の方法において作動する。
次に第３図にしたがって、開錠を企ててハウジングピン９を外向きにハウジング２の中まで動かしたときに、鋼製ピン１１は永久磁石からなるピン１６に吸着したままであり、第３図に示した遮断位置に留まる。第３図から明らかなように、鋼製ピンｌｌは剪断面２７を横切っており、従ってローター３を回転可能に開放するためには、これを剪断しなければならない。また、鋼製ピン１１は孔１０内で自由に移動可能であるので、鋼製ピン１１はローター３を傾けることによってハウジングピン９に固定することができなくなる。それ故、ロックシリンダの回転開放のためにロータピン１２は第２図に示される位置に持ち上げられねばならないが、これは殆ど可能ではなく、かつ同時にばね１９の反発力に打ち勝たねばならない。
鋼製ピンｌｌが永久磁石として設計される変形例が考えられる。その場合には、ハウジングピン９は非磁性材料から作らねばならない。また、鋼製ピン１１がハウジングピン９に堅固に接続され、かつピン１６がロータピン１２の中で自由に移動し得るように取り付けられる変形例を有することが考えられる。ロックシリンダ１が本発明によるタンブラ４を最少で１個しか有しないときも、錠止の安全性のかなりの改善が、同様にもたらされる。それ故、ロックシリンダ１の幾つかのタンブラは通常のごとく設計してもよい。
【図１】
0004365455.tif 000002
【図２】
0004365455.tif 000003
【図３】
0004365455.tif 000004